(57)【特許請求の範囲】
【請求項１】
ブ−ム先端下部に取付けられ複数の滑車で構成された主巻フック吊持用の主巻用先端滑車と、ブ−ム先端部に直接あるいは継ぎ足し可能な滑車取付枠を介して取付けられた補巻フック吊持用の補巻用先端滑車、および当該補巻用先端滑車の前方に位置したブ−ム先端部あるいは滑車取付枠に設けられた揺動軸に揺動可能に軸支されその下端に前記補巻フックが当接する当接面を設けた補巻フック格納ア−ムとで構成され、前記補巻フックがクレ−ン走行時に当該補巻フック格納ア−ムの前記当接面に当接して、更なる補巻フックの巻上動によって前記主巻用先端滑車の下方に位置したフック格納位置まで上方回動して格納されるよう構成した移動式クレ−ンにおける補巻フックの格納装置において、
前記主巻用先端滑車の複数の滑車をブ−ム先端下部に左右に振り分けて配置すると共に、前記フック格納位置に位置した補巻フックの少なくとも一部が前記主巻用先端滑車の左右の滑車間に形成された空間内に位置して格納されるよう構成したことを特徴とする移動式クレ−ンにおける補巻フックの格納装置。
【発明の詳細な説明】
【０００１】
【産業上の利用分野】
本発明は、ブ−ム先端部から主巻フックと共に補巻フックを吊下げて、当該補巻フックに荷物を吊持してクレ−ン作業を行えるよう構成した移動式クレーンにおける補巻フックの格納装置に関するものである。
【０００２】
【従来の技術】
一般にホイ−ルクレ−ン等の移動式クレ−ンには、大重量の荷物を吊上げてクレ−ン作業を行うための主巻フック装置Ａと、軽量の荷物を高速で吊上げてクレ−ン作業を行うための補巻フック装置Ｂが装備されている。
【０００３】
図３に示す如く、主巻フック装置Ａは、起伏並びに伸縮可能なブ−ム２の先端下部に取付けられ複数枚の滑車３ａ，３ｂ・・を併設して構成された主巻フック吊持用の主巻用先端滑車３と、当該主巻用先端滑車３の各滑車３ａ，３ｂ・・に掛け回された主巻用ワイヤロ−プ４、当該主巻用ワイヤロ−プ４によって吊下げられた主巻フック１とで構成されている。
【０００４】
また、補巻フック装置Ｂは、前記ブ−ム２の先端部に直接、あるいはブ−ム２の先端部に連結ピン６等により継ぎ足し可能に装着された滑車取付枠７に取付けられた補巻フック吊持用の補巻用先端滑車８と、当該補巻用先端滑車８に掛け回された補巻用ワイヤロ−プ９、当該補巻用ワイヤロ−プ９よって吊下げられた補巻フック５とで構成されている。なお、補巻フック装置Ｂは、軽量の荷物を高速で吊上げてクレ−ン作業を行うため、補巻用ワイヤロ−プ９は１本掛けで構成されている。
【０００５】
また、これら主巻フック装置Ａと補巻フック装置Ｂは、主巻フック１と補巻フック５が、それぞれワイヤロ−プ４，９で吊下げられているためクレ−ン走行時に揺動してこれらワイヤロ−プ４，９が損傷する恐れがあった。このため、主巻フック１は、走行車輌１０の前部フレ−ム１１に揺動不能に係止して格納し、補巻フック５は、特開平４−３４１４９６号に示された如き補巻フック格納装置Ｃによって当該補巻フック１を揺動不能に格納するようになっている。
【０００６】
当該補巻フック格納装置Ｃは、補巻用先端滑車８の前方に位置したブ−ム２先端部あるいは前記滑車取付枠７に取付けられた揺動軸１２と、当該揺動軸１２にその上部１３ａを揺動可能に軸支すると共にその下端に前記補巻フック５の上面が当接する当接面１４を設けた補巻フック格納ア−ム１３とで構成されており、補巻フック５の巻上動により当該補巻フック５が補巻フック格納ア−ム１３の当接面１４に当接し、更なる補巻フック５の巻上動によって当該補巻フック５が前記揺動軸１２を中心としてブ−ム２基端方向へ回動して前記主巻用先端滑車３の下方に位置した格納位置（図３図示位置）に格納されるようになっている。
【０００７】
【発明が解決しようとする課題】
しかしながら、このように構成された補巻フック格納装置Ｃは、補巻フック５が主巻用先端滑車３の下方位置に格納されるようになっているため、格納状態における補巻フック５の地上高さが低くなり、ガ−ドレ−ル等に干渉して狭い路地等への進入が困難になるという問題があった。
また、この種の移動式クレ−ンは、クレ−ン走行時の車輌左前方部の安全確認をブ−ム２の下方空間から行うようになっているため、ブ−ム２の先端下部に格納された補巻フック５に遮られて安全確認がしずらいという問題があった。
そこで本発明は、フック格納位置における補巻フック５が可能な限りブ−ム２の先端部に近接して格納されるよう構成し、以て狭い路地等への進入を容易にすると共に、クレ−ン走行時の車輌左前方部の安全確認を行い易くした補巻フックの格納装置を提供しようとするものである。
【０００８】
【課題を解決するための手段】
上記目的を達成するため、本発明の移動式クレ−ンにおける補巻フックの格納装置は、次の如く構成する。すなわち、
ブ−ム先端下部に取付けられ複数の滑車で構成された主巻フック吊持用の主巻用先端滑車と、ブ−ム先端部に直接あるいは継ぎ足し可能な滑車取付枠を介して取付けられた補巻フック吊持用の補巻用先端滑車、および当該補巻用先端滑車の前方に位置したブ−ム先端部あるいは滑車取付枠に設けられた揺動軸に揺動可能に軸支されその下端に前記補巻フックが当接する当接面を設けた補巻フック格納ア−ムとで構成され、前記補巻フックがクレ−ン走行時に当該補巻フック格納ア−ムの前記当接面に当接して、更なる補巻フックの巻上動によって前記主巻用先端滑車の下方に位置したフック格納位置まで上方回動して格納されるよう構成した移動式クレ−ンにおける補巻フックの格納装置において、
前記主巻用先端滑車の複数の滑車をブ−ム先端下部に左右に振り分けて配置すると共に、前記フック格納位置に位置した補巻フックの少なくとも一部が前記主巻用先端滑車の左右の滑車間に形成された空間内に位置して格納されるよう構成したことを特徴とするものである。
【０００９】
【作用】
以上の如く構成した本発明の補巻フックの格納装置は、複数の滑車で構成された主巻用先端滑車をブ−ム先端下部に左右に振り分けて配置したので、当該主巻用先端滑車の左右の滑車間に少なくとも補巻フックの一部を位置させて格納することが可能な空間が形成されるのである。このため、この空間内に補巻フックを位置させて格納すれば、格納状態における補巻フックの地上高さが高くなり、狭い路地等への進入が容易になると共に、クレ−ン走行時の車輌左前方部の安全確認が行い易くなるのである。
【００１０】
【実施例】
以下本発明の補巻フックの格納装置の実施例を、図１および図２に基づいて説明する。なお、本発明の補巻フックの格納装置は、従来の補巻フックの格納装置に比して、主巻用先端滑車の各滑車の配置構成と補巻フックの格納位置を変更したものであり、以下の説明ではその相違点のみを説明するものとする。
【００１１】
１５は、主巻用先端滑車であり、この実施例の場合には、４枚の滑車１５ａ，１５ｂ，１５ｃ，１５ｄで構成されている。これら各滑車１５ａ，１５ｂ，１５ｃ，１５ｄは、２枚一組としてブ−ム２先端部の左右に振り分けて取付けられており、このように構成することによって、左右に振り分けて取付けられた滑車１５ａ，１５ｂと滑車１５ｃ，１５ｄ間に補巻フック５の少なくとも一部が格納可能な空間１６が形成されるようになっている。１７は、前記主巻用先端滑車１５の各滑車１５ａ，１５ｂ，１５ｃ，１５ｄを２枚一組で軸支するための左右の滑車軸であり、ブ−ム２先端部の左右の側板２ａと左右の滑車支持ブラケット１８間に橋架状に配設して構成されている。なお、当該滑車軸１７は、この実施例の如く左右別軸構成とせず、１本の滑車軸を通し軸として構成することも可能である。
【００１２】
１９は、補巻用フック格納装置Ｃの補巻フック格納ア−ムである。当該補巻フック格納ア−ム１９は、従来の補巻フック格納ア−ム１３に比して大きさや形状に変更点はなく、枢支軸２０の位置変更等により当該補巻フック格納ア−ム１９の上方への回動角が大きくなるよう設定されている。これにより、補巻フック５の格納位置が、前記主巻用先端滑車１５の左右の滑車間に形成された空間１６内に位置して格納されるよう構成しているのである。この構成により、当該補巻フック５をより上方に位置、すなわちブ−ム２の先端下部に接近させて格納することができ、補巻フック５の格納地上高さｈが高くなり、ガ−ドレ−ル等に干渉されることなく狭い路地等への進入が容易となるのである。
【００１３】
また、格納状態における補巻フック５が、従来の補巻用フック格納装置に比してブ−ム２の先端下部に接近した位置に格納されるので、クレ−ン走行時に当該補巻フック５によって車輌左前方部の視界が遮られる範囲が少なくなり、車輌左前方部の安全確認が行い易くなるのである。
【００１４】
なお、以上の説明では、主巻フック１を走行車輌１０の前部フレ−ム１１に係止格納する例について説明したが、主巻フック１を補巻フック５と同様に主巻フック格納ア−ムを用いてブ−ム２の先端下面に沿わせて格納するよう構成してもよいこと勿論である。
【００１５】
【発明の効果】
以上の如く構成した本発明の移動式クレ−ンにおける補巻フックの格納装置は、主巻用先端滑車を左右に振り分けて配置し、当該主巻用先端滑車の左右の滑車間に形成される空間内に位置させて補巻フックを格納するという極めて簡単な構成により、補巻フックをブ−ムの先端部に接近したより上方位置に格納することが可能となり、これにより狭い路地等への進入を容易にすると共に、クレ−ン走行時の車輌左前方部の安全確認を行い易くしたものであります。
【図面の簡単な説明】
【図１】本発明の移動式クレ−ンにおける補巻フックの格納装置の説明図である。
【図２】同補巻フックの格納装置の正面説明図である。
【図３】従来の移動式クレ−ンにおける補巻フックの格納装置の説明図である。
【符号の説明】
１  主巻フック
２  ブ−ム
４  主巻ワイヤロ−プ
５  補巻フック
７  滑車取付枠
８  補巻用先端滑車
９  補巻ワイヤロ−プ
１５  主巻用先端滑車
１６  空間
１９  補巻フック格納ア−ム
２０  揺動軸
Ａ  主巻フック装置
Ｂ  補巻フック装置
Ｃ  補巻フック格納装置
【図１】
0003572135.tif 000002
【図２】
0003572135.tif 000003
【図３】
0003572135.tif 000004